(57)【要約】【課題】低コストで狭い室内にも簡単に設定することができる分煙装置を提供する。【解決手段】禁煙区域と喫煙区域とを分割するべき室内に設置され、内部に喫煙空間を画成すると共に喫煙空間１４の側方を包囲する側壁１２と、喫煙空間１４の上部を画成する天井３０と、天井３０に設けられた煙排気口３０ａと、を備え、喫煙空間１４の収容定員は一名となっており、側壁１２が室内床面ＦＬから離隔した状態で側壁１２の一部が室内壁Ｗに固定されて室内壁に支持される壁付けパーソナル分煙装置１０とする。【選択図】図１
2013245440.tif 000002
【特許請求の範囲】
【請求項１】
禁煙区域と喫煙区域とを分割するべき室内に設置された壁付けパーソナル分煙装置であって、
内部に喫煙空間を画成すると共に前記喫煙空間の側方を包囲する側壁と、前記喫煙空間の上部を画成する天井と、天井または側壁上部に設けられた煙排気口と、を備え、前記喫煙空間の収容定員は一名となっており、前記側壁が室内床面から離隔した状態で前記側壁の一部が室内壁に固定されて装置全体が室内壁に支持されることを特徴とする壁付けパーソナル分煙装置。
【請求項２】
前記喫煙空間の横断面積が０．５ｍ2以下であることを特徴とする請求項１記載の壁付けパーソナル分煙装置。
【請求項３】
前記側壁の一部がドアであることを特徴とする請求項１または２記載の壁付けパーソナル分煙装置。
【請求項４】
前記側壁にはドアがなく、前記室内床面と側壁下端との間を使用者が通過可能であることを特徴とする請求項１または２記載の壁付けパーソナル分煙装置。
【請求項５】
前記煙排気口が室内の既設の屋外排気設備に近接して配置されることを特徴とする請求項１ないし４のいずれか１項に記載の壁付けパーソナル分煙装置。
【発明の詳細な説明】
【技術分野】
【０００１】
本発明は、公共、私設の場所や施設等の室内空間を禁煙区域と喫煙区域とに分割する分煙対策のための装置に関する。
【背景技術】
【０００２】
近年、公共、私設の場所や施設等において室内空間を禁煙区域と喫煙区域とに分割するための分煙対策が推進されている。
【０００３】
例えば、特許文献１では、内部に喫煙空間を画成するフレームと、フレームに支持されて前記喫煙空間の側方を包囲する側壁と、前記側壁の一部に設けられたドアと、前記喫煙空間内に配置されて、屋外と連通するダクト及び屋外排気設備に連通可能となった吸引口を備えた吸引装置と、を備え、前記喫煙空間の収容定員は一名となっており、フレーム上端または側壁上端によって包囲される天井面が７０％以上の開口率で開口されており、前記フレーム下端または前記側壁下端と設置面との間には隙間が形成されるようになった空間分煙対策用喫煙装置を提案している。
【先行技術文献】
【特許文献】
【０００４】
【特許文献１】特開２０１０−１２７０５６号公報
【発明の概要】
【発明が解決しようとする課題】
【０００５】
しかしながら、上記従来の空間分煙対策用喫煙装置では、主としてゲームセンターやボーリング場などの娯楽施設の大型室内にも違和感なく配置できるものとして、喫煙者の快適性、使い勝手を配慮したものとなっているために、重量及び容積が大きく、製造コストが高くなるという問題がある。
【０００６】
本発明は、かかる課題に鑑みなされたもので、低コストで狭い室内にも簡単に設定することができる分煙装置を提供することを目的とする。
【課題を解決するための手段】
【０００７】
上記目的を達成するために、本発明の請求項１記載の発明は、禁煙区域と喫煙区域とを分割するべき室内に設置された壁付けパーソナル分煙装置であって、
内部に喫煙空間を画成すると共に前記喫煙空間の側方を包囲する側壁と、前記喫煙空間の上部を画成する天井と、天井または側壁上部に設けられた煙排気口と、を備え、前記喫煙空間の収容定員は一名となっており、前記側壁が室内床面から離隔した状態で前記側壁の一部が室内壁に固定されて装置全体が室内壁に支持されることを特徴とする。
【０００８】
請求項２記載の発明は、請求項１記載の発明において、前記喫煙空間の横断面積が０．５ｍ2以下であることを特徴とする。
【０００９】
請求項３記載の発明は、請求項１または２記載の発明において、前記側壁の一部がドアであることを特徴とする。
【００１０】
請求項４記載の発明は、請求項１または２記載の発明において、前記側壁にはドアがなく、前記室内床面と側壁下端との間を使用者が通過可能であることを特徴とする。
【００１１】
請求項５記載の発明は、請求項１ないし４のいずれか１項に記載の発明において、前記煙排気口が室内の既設の屋外排気設備に近接して配置されることを特徴とする。
【発明の効果】
【００１２】
本発明によれば、側壁が室内床面から離隔した状態で側壁の一部が室内空間に固定されて室内空間に支持される壁付けパーソナル分煙装置としたために、材料費が少なくてすみ低コストで製造することができる。また、側壁が室内床面から離隔することで、嵩張らずに室内に設置することができ、狭い室内でも確実に禁煙区域と喫煙区域とを分割することができる。
【図面の簡単な説明】
【００１３】
【図１】本発明による壁付けパーソナル分煙装置の一実施形態を表す縦断面図である。
【図２】本発明による壁付けパーソナル分煙装置の斜視図である。
【図３】図１の壁付けパーソナル分煙装置の正面図である。
【図４】図１の壁付けパーソナル分煙装置の背面図である。
【図５】図１の壁付けパーソナル分煙装置の横断面図である。
【図６】本発明による壁付けパーソナル分煙装置の他の実施形態による斜視図である。
【図７】本発明による壁付けパーソナル分煙装置のさらに他の実施形態による縦断面図である。
【図８】本発明による壁付けパーソナル分煙装置のさらに他の実施形態による縦断面図である。
【発明を実施するための形態】
【００１４】
以下、図面を用いて本発明の実施の形態を説明する。
図１〜図５は、本発明による壁付けパーソナル分煙装置の一実施形態を表す図である。
【００１５】
図において、この壁付けパーソナル分煙装置１０は、禁煙区域と喫煙区域とを分割するべき室内に設置されて喫煙区域を画成するためのものであって、例えば、ゲームセンターやボーリング場などの娯楽施設などに設置することも可能であるが、それよりも小さい室内空間に設置されるのにも好適なものである。
【００１６】
この壁付けパーソナル分煙装置１０は、側壁１２を有しており、側壁１２内部には、喫煙空間１４が画成される。
【００１７】
側壁１２は、４つの側壁パネル１６−１９によって横断面で矩形形状を構成しており、矩形形状の一辺となる各側壁パネル１６−１９の幅が好ましくは１ｍ以下、特に好ましくは０．６ｍ以下であり、より好ましくは矩形形状は正方形状となっている。よって、喫煙空間１４の横断面積は、好ましくは０．５ｍ２以下となっており、その収容定員は一名である。但し、側壁１２で構成される形状は、この例のような立方体形状に限らず、円柱、楕円柱、多角柱形状等の任意の形状とすることができる。また、側壁１２の高さは、１ｍ程度、または、０．８〜１．２ｍの範囲とするとよい。
【００１８】
４つの側壁パネル１６−１９のうちの一つの側壁パネル１６は、ドアハンドル１６ｃを備えたドアを構成しており、隣の側壁パネル１７にヒンジ結合される。側壁パネル１６は、強化ガラス、ポリカーボネート等の硬質樹脂からなる透明面部材１６ａと、その周縁の額縁部分１６ｂとで構成される（図３参照）。ドアを開けると、正面側壁部分が完全に開放可能となっている。
【００１９】
４つの側壁パネル１６−１９のうちの他の一つの側壁パネル１９には、その内部または内側面または外側面に、複数の補強材２０が取り付けられている。補強材２０は、上下方向に離間して複数個設けられるとよい。また、側壁パネル１６−１９のうちの一つの側壁パネル１９には、灰皿２２が取り付けられている。
【００２０】
喫煙空間１４の上端には喫煙空間１４の上部を画成する天井パネル３０が設けられる。天井パネル３０には、煙排気口となるダクト開口３０ａが設けられており、このダクト開口３０ａには、ダクト３２が取り付けられるためのダクト用カラー３０ｂが設けられる。このダクト用カラー３０ｂに取り付けられたダクト３２は、室内の天井ＣＬまたは室内壁Ｗに設けられた開口に向かって延びる。
【００２１】
以上のように構成される壁付けパーソナル分煙装置１０を室内に設ける際には、側壁１２をその下端が室内床面から離隔した状態で、室内空間に設置する。このため、側壁パネル１９の補強材２０が設けられている部分と、室内壁Ｗと、室内壁内にある軟鉄等の間柱Ｓとをネジ等の結合部材４０で結合することで、側壁パネル１９を室内壁Ｗに固定し、壁付けパーソナル分煙装置１０全体を室内壁Ｗに支持させる。側壁１２の下端は、室内床面ＦＬよりも１ｍ程度高い位置になるように設定すれば、喫煙空間１４の室内床面ＦＬからの最大高さが２ｍ程度となり、成人が立った状態で、喫煙空間１４内に収まることができるようになる。
【００２２】
また、天井パネル３０に取り付けられたダクト３２を、室内天井ＣＬまたは室内壁Ｗに設けられた排気口に繋ぐ。ダクト３２は、排気口から天井裏等を通り屋外へと連通するダクト３４に連通される。このダクト３４は既設のものを利用するとよい。そして、ダクト３４の途中、ダクト３２の途中、またはダクト３４、３２の接続部分には、換気扇といった屋外排気設備３６が設けられるとよく、これによって、ダクト３２を介して喫煙空間１４は、壁付けパーソナル分煙装置１０外の室内の禁煙区域に対して負圧となる。
【００２３】
このように室内に設置された壁付けパーソナル分煙装置１０を利用する場合には、使用者がドアを開けて喫煙空間１４内に入り、ドアを閉めて喫煙を行う。喫煙空間１４内は負圧となっているために、タバコの煙、粉塵等は、側壁１２と室内床面ＦＬとの間を抜けて禁煙区間に逃げることはなく、喫煙空間１４内を上昇してダクト３２へと吸引されて、ダクト３４を通過して屋外へと排出されることとなる。
【００２４】
以上の壁付けパーソナル分煙装置１０は非常に小型であり、また、側壁１２下端と室内床面ＦＬとの間が１ｍ程度に大きく離隔しているので、嵩張ることなく、室内の適当な空間を利用して、壁付けパーソナル分煙装置１０を設置することができる。また、必要な材料が少なくてすむために低コストで製造することができる。
【００２５】
また、壁付けパーソナル分煙装置１０は、喫煙空間１４の収容定員が一名となっており、喫煙空間１４の横断面積が０．５ｍ２以下であり、喫煙空間１４は非常に狭い空間となっているために、収容定員一名を越えて二人以上の喫煙者が喫煙空間１４に入ることは困難となっている。これに対して収容定員が二名以上のものでは、喫煙空間の余裕分も大きくなり、収容定員を越えて喫煙者が入ることが可能になってしまう。本発明の壁付けパーソナル分煙装置１０では定員が守られるために、大量の煙の発生を防ぎ、ダクト３２、３４で排出する能力を超えないようにすることができ、喫煙空間１４の下方から煙、粉塵等が外部に漏れることを確実に防ぐことができる。
【００２６】
また、壁付けパーソナル分煙装置１０の喫煙空間１４は非常に狭く、閉鎖的で居心地があまりよいものではないために、これによって禁煙を促進させる効果が期待できる。
【００２７】
図６は、本発明の他の実施形態を表す図である。この実施形態では、側壁１２にドアがない例となっており、側壁パネル１６−１９によって固定の横断面矩形形状を構成している。ドアがなくても、側壁１２の下端と室内床面ＦＬとの間が大きく離隔しており、この間を潜って、使用者が喫煙空間１４内に入ることができる。
【００２８】
この実施形態でも、前実施形態と同様の効果を有することができると共に、ドアを省略することにより、より低コストに製造することができる。また、ドアを省略することにより、一層、壁付けパーソナル分煙装置１０の利用勝手が悪くなるために、却って、これによって禁煙を促進させる効果が期待できる。
【００２９】
図７及び図８は、それぞれさらに他の実施形態を表す図である。前実施形態では、ダクト３２を用いて、室内の天井面に連結していたが、この実施形態では、ダクト３２を設ける代わりに、天井パネル３０に単なる開口３０ｃを設け、この開口３０ｃを、室内天井ＣＬ（図７）または室内壁Ｗ（図８）に設けられた屋外排気設備３６となる換気扇等に接近させることで、煙排気口とし、喫煙空間１４を換気扇等の屋外排気設備３６を介して室外にあるダクト３４を介して又は直接室外に屋外に連通させることも可能である。この場合、側壁１２を室内壁Ｗに取り付ける高さ位置を適宜、調整することで、開口３０ｃを屋外排気設備３６に接近させれば、開口３０ｃと室内天井ＣＬとの間から室内の禁煙区域に煙や粉塵が逃げることを防ぐことができる。ダクト３２の配設が不要となり、既設の屋外排気設備３６を利用することで、一層低コストで構成することができる。また、開口３０ｃは、天井全体に亘って形成することも可能である。
【００３０】
尚、煙排気口となる開口またはダクト開口は、天井に設ける代わりに側壁上部または天井と側壁上部に跨り設けてもよい。
【符号の説明】
【００３１】
１０  壁付けパーソナル分煙装置
１２  側壁
１４  喫煙空間
１６  側壁パネル（ドア）
１７〜１９  側壁パネル
３０  天井パネル（天井）
３０ａ  ダクト開口（煙排気口）
３０ｃ  開口（煙排気口）
３６  屋外排気設備（換気扇）
Ｗ  室内壁
ＦＬ  室内床面
【図１】
2013245440.tif 000003
【図２】
2013245440.tif 000004
【図３】
2013245440.tif 000005
【図４】
2013245440.tif 000006
【図５】
2013245440.tif 000007
【図６】
2013245440.tif 000008
【図７】
2013245440.tif 000009
【図８】
2013245440.tif 000010